【事件の表示】
　特願２０１４−　１２２９２号「遊技機」拒絶査定不服審判事件〔平成２７年　８月　３日出願公開、特開２０１５−１３９４６９号〕について、次のとおり審決する。
【結　論】
　本件審判の請求は、成り立たない。
【理　由】
第１　手続の経緯
　本願は，平成２６年１月２７日に出願したものであって，平成２７年３月１９日付けで拒絶理由が通知され，同年５月２０日に意見書及び手続補正書が提出され，同年１１月１８日付けで拒絶理由が通知（いわゆる「最後の拒絶理由通知」）され，これに対し平成２８年１月１９日に意見書及び手続補正書が提出されたが，同年７月１２日付けで同年１月１９日付けの手続補正が却下されると共に拒絶査定がなされ，これに対して，同年１０月１８日に拒絶査定不服審判の請求がなされるとともに手続補正がなされたものである。
第２　平成２８年１０月１８日付けの手続補正についての補正却下の決定
［補正却下の決定の結論］
　平成２８年１０月１８日付けの手続補正（以下「本件補正」という。）を却下する。
［理由］
１　本件補正の概要
　本件補正は特許請求の範囲の請求項１の記載を含む補正であり，平成２７年５月２０日付けの手続補正と本件補正の特許請求の範囲の請求項１の記載はそれぞれ，以下のとおりである（下線部は補正を示す。）。
（補正前：平成２７年５月２０日付けの手続補正）
「【請求項１】
　始動条件が成立することにより遊技者にと．って有利な特別遊技状態へ移行させるか否かを判定する特別遊技判定手段と，
　前記特別遊技判定手段による判定結果に基づいて，所定の演出手段に演出を行わせる演出制御手段と，
　前記演出制御手段によって行われる演出に対応する演出音を出力するスピーカーと，
　前記スピーカーから出力される演出音の音量レベルを，遊技者による調整操作に基づいて変更する音量調整手段と，
　前記特別遊技状態に移行させるか否かの判定において前記特別遊技状態へ移行させると判定された場合に，遊技球が入球不可能な閉状態と遊技球が入球可能な開状態とに作動し得る第１可変入賞装置，及び，遊技球が入球不可能な閉状態と遊技球が入球可能な開状態とに作動し得ると共に入球した遊技球が通過可能な所定通過領域を有する第２可変入賞装置のうちいずれか一方の可変入賞装置を，前記開状態に作動させるラウンド遊技を複数ラウンド有する開放特別遊技を行わせる特別遊技制御手段と，
　前記特別遊技制御手段により前記開放特別遊技が行われた後に，当該開放特別遊技中に前記第２可変入賞装置に入球した遊技球が前記所定通過領域を通過していないときには，特別遊技状態に移行させるか否かの判定において特別遊技状態へ移行させると判定される確率が第１の確率に設定される低確率遊技状態で遊技を制御する低確率遊技状態制御手段と，
　前記特別遊技制御手段により前記開放特別遊技が行われた後に，当該開放特別遊技中に前記第２可変入賞装置に入球した遊技球が前記所定通過領域を通過しているときには，特別遊技状態へ移行させるか否かの判定において特別遊技状態へ移行させると判定される確率が前記第１の確率よりも高い第２の確率に設定される高確率遊技状態で遊技を制御する高確率遊技状態制御手段と，
を備え，
　前記音量調整手段は，前記特別遊技制御手段により前記第２可変入賞装置に入球する遊技球が前記所定通過領域を通過可能となるときに，前記スピーカーから出力される演出音の音量レベルを所定レベル以上に変更することを特徴とする遊技機。」
（補正後：本件補正：平成２８年１０月１８日付け手続補正）
「【請求項１】
　始動条件が成立することにより遊技者にとって有利な特別遊技状態へ移行させるか否かを判定する特別遊技判定手段と，
　前記特別遊技判定手段による判定結果に基づいて，所定の演出手段に演出を行わせる演出制御手段と，
　前記演出制御手段によって行われる演出に対応する演出音を出力するスピーカーと，
　前記スピーカーから出力される演出音の音量レベルを，遊技者による調整操作に基づいて変更する音量調整手段と，
　前記特別遊技状態に移行させるか否かの判定において前記特別遊技状態へ移行させると判定された場合に，遊技球が入球不可能な閉状態と遊技球が入球可能な開状態とに作動し得る第１可変入賞装置，及び，遊技球が入
賞
賞
　前記特別遊技制御手段により前記開放特別遊技が行われた後に，当該開放特別遊技中に前記第２可変入賞装置に入球した遊技球が前記所定通過領域を通過していないときには，特別遊技状態に移行させるか否かの判定において特別遊技状態へ移行させると判定される確率が第１の確率に設定される低確率遊技状態で遊技を制御する低確率遊技状態制御手段と，
　前記特別遊技制御手段により前記開放特別遊技が行われた後に，当該開放特別遊技中に前記第２可変入賞装置に入球した遊技球が前記所定通過領域を通過しているときには，特別遊技状態へ移行させるか否かの判定において特別遊技状態へ移行させると判定される確率が前記第１の確率よりも高い第２の確率に設定される高確率遊技状態で遊技を制御する高確率遊技状態制御手段と，
を備え，
　
前記演出制御手段は，前記特別遊技制御手段により前記第２可変入賞装置に入球する遊技球が前記所定通過領域を通過可能となるときに，前記第２可変入賞装置に向けて遊技球を発射するよう報知する特定演出音を前記スピーカーから出力させ，
　前記音量調整手段は，前記特別遊技制御手段により前記第２可変入賞装置に入球する遊技球が前記所定通過領域を通過可能となるときに，前記スピーカーから出力される
前記特定
２　補正の適否
（１）補正事項
　本件補正は，補正前の請求項１の「第２可変入賞装置」の「遊技球が入球不可能な閉状態と遊技球が入球可能な開状態」を，実質的に意味の変わらない「遊技球が入
賞
賞
前記演出制御手段は，前記特別遊技制御手段により前記第２可変入賞装置に入球する遊技球が前記所定通過領域を通過可能となるときに，前記第２可変入賞装置に向けて遊技球を発射するよう報知する特定演出音を前記スピーカーから出力させ
前記特定
（２）補正の目的等についての検討
　上記補正事項は，「演出制御手段」に関して，「前記演出制御手段は，前記特別遊技制御手段により前記第２可変入賞装置に入球する遊技球が前記所定通過領域を通過可能となるときに，前記第２可変入賞装置に向けて遊技球を発射するよう報知する特定演出音を前記スピーカーから出力させ」と限定する補正であると共に，「音量調整手段」が「音量レベルを所定レベル以上に変更する」「演出音」に関して，「前記特定演出音」であると限定する補正であり，また，補正後の請求項１に記載された発明は，補正前の請求項１に記載された発明と，産業上の利用分野及び解決しようとする課題が同一であるので，特許法第１７条の２第５項第２号に規定する特許請求の範囲の減縮を目的とするものに該当する。
　そして，本件補正は，段落【０１８９】の記載に基づくものであるから，新規事項を追加するものではない。
３　独立特許要件
　そこで，本件補正後の請求項１に記載された発明が特許出願の際独立して特許を受けることができるものであるか否か，すなわち，特許法第１７条の２第６項において準用する同法第１２６条第７項の規定に適合するか否か，について以下に検討する。
（１）本件補正後の請求項１に係る発明
　補正後の請求項１に係る発明（以下，「本件補正発明」という。）は，上記「１　本件補正の概要」に本件補正後の請求項１として記載したとおりのものである（Ａ〜Ｉは，本願補正発明を分説するために当審で付与した。）。
「【請求項１】
Ａ　始動条件が成立することにより遊技者にとって有利な特別遊技状態へ移行させるか否かを判定する特別遊技判定手段と，
Ｂ　前記特別遊技判定手段による判定結果に基づいて，所定の演出手段に演出を行わせる演出制御手段と，
Ｃ　前記演出制御手段によって行われる演出に対応する演出音を出力するスピーカーと，
Ｄ　前記スピーカーから出力される演出音の音量レベルを，遊技者による調整操作に基づいて変更する音量調整手段と，
Ｅ　前記特別遊技状態に移行させるか否かの判定において前記特別遊技状態へ移行させると判定された場合に，遊技球が入球不可能な閉状態と遊技球が入球可能な開状態とに作動し得る第１可変入賞装置，及び，遊技球が入賞不可能な閉状態と遊技球が入賞可能な開状態とに作動し得ると共に入球した遊技球が通過可能な所定通過領域を有する第２可変入賞装置のうちいずれか一方の可変入賞装置を，前記開状態に作動させるラウンド遊技を複数ラウンド有する開放特別遊技を行わせる特別遊技制御手段と，
Ｆ　前記特別遊技制御手段により前記開放特別遊技が行われた後に，当該開放特別遊技中に前記第２可変入賞装置に入球した遊技球が前記所定通過領域を通過していないときには，特別遊技状態に移行させるか否かの判定において特別遊技状態へ移行させると判定される確率が第１の確率に設定される低確率遊技状態で遊技を制御する低確率遊技状態制御手段と，
Ｇ　前記特別遊技制御手段により前記開放特別遊技が行われた後に，当該開放特別遊技中に前記第２可変入賞装置に入球した遊技球が前記所定通過領域を通過しているときには，特別遊技状態へ移行させるか否かの判定において特別遊技状態へ移行させると判定される確率が前記第１の確率よりも高い第２の確率に設定される高確率遊技状態で遊技を制御する高確率遊技状態制御手段と，
を備え，
Ｈ　前記演出制御手段は，前記特別遊技制御手段により前記第２可変入賞装置に入球する遊技球が前記所定通過領域を通過可能となるときに，前記第２可変入賞装置に向けて遊技球を発射するよう報知する特定演出音を前記スピーカーから出力させ，
Ｉ　前記音量調整手段は，前記特別遊技制御手段により前記第２可変入賞装置に入球する遊技球が前記所定通過領域を通過可能となるときに，前記スピーカーから出力される前記特定演出音の音量レベルを所定レベル以上に変更することを特徴とする遊技機。」
（２）刊行物に記載された事項
（２−１）刊行物１
　原査定の平成２７年１１月１８日付け拒絶理由に引用された本願の出願前に頒布された特開２０１３−２３０３５７号公報（以下，「刊行物１」という。）には，図面とともに次の事項が記載されている（下線は当審で付した。）。
（ア）「【特許請求の範囲】
【請求項１】
　始動口と，特定領域を有する第１の大入賞装置と，
　特定領域を有さない第２の大入賞装置と，
　
始動口への入球に起因して抽出された乱数値に基づいて大当り遊技を生起するか否かを判定する当否判定手段と
　該当否判定手段によって大当り遊技を生起するとの判定がなされると，大当り遊技の生起を報知する大当り図柄を，複数種類の図柄群から選択し決定する図柄決定手段と，
　該図柄決定手段にて決定された図柄に基づいて，大当り遊技における第１の大入賞装置および第２の大入賞装置の開放態様を決める開放態様決定手段と，
　大当り遊技で前記第１の大入賞装置に進入した遊技球が前記特定領域へ入球することにより大当り遊技後に確率変動遊技を付与する確率変動手段と，を備えた遊技機において，
　前記図柄群は少なくとも第１の図柄群および第２の図柄群を有し，かつ第１の図柄群と第２の図柄群とでは異なる図柄であるが，類似した図柄で構成され，
　前記開放態様決定手段は，前記大当り図柄が前記第１の図柄群に含まれる図柄であることを条件に第１の開放態様を選択し，大当り図柄が前記第２の図柄群に含まれる図柄であることを条件に第２の開放態様を選択するようになし，
　前記第１の開放態様と前記第２の開放態様とでは，大当り遊技の実行単位であるラウンドの総数が同じとされ，前記第１の開放態様および前記第の２開放態様の最終ラウンドである第１の特定ラウンドのみで前記第１の大入賞装置を開放するようになし，かつ第１の開放態様における第１の大入賞装置の最大開放時間が第２の開放態様の第１の大入賞装置の最大開放時間よりも長く設定され，
　前記第１の大入賞装置は，前記特定領域への遊技球の入球を規制する規制位置と入球を許容する許容位置とに変位可能な振分手段を備え，
　該振分手段は，前記第１の特定ラウンドの開始から第１の所定時間が経過することを条件に前記許容位置へと移動し，前記第１の特定ラウンドの終了から第２の所定時間が経過することを条件に前記規制位置へと移動するように構成され，
　前記第１の所定時間を，前記第２の開放態様の第１の大入賞装置の最大開放時間よりも前記第２の所定時間以上に長く設定したことを特徴とする遊技機。」
（イ）「【００１２】
　前枠１１の上部の左右両側位置にはそれぞれ
スピーカ１１２
により遊技音が出力され
（ウ）「【００３１】
　
サブ統合制御装置４２には，音量調節ＳＷ
の操作信号が入力される。
　そして
サブ統合制御装置４２は，スピーカ１１２を駆動して音声を出力する
更に演出図柄制御装置４３へ
演出や特図の
図柄の表示態様のコマンドを送信する
【００３２】
　演出図柄制御装置４３は，ＬＣＤパネルユニットや付属ユニットと共に演出図柄表示装置２１を構成している。
演出図柄制御装置４３は，サブ統合制御装置４２から送られてくるコマンドに応じて演出図柄表示装置２１の
表示を制御する
【００３３】
　次にパチンコ機１の作動を説明する。
　パチンコ機１は，始動ゲート２２への入球に起因して普図の当否抽選を行い，普図表示装置２８Ａの図柄変動を開始する。前記抽選結果が当りであれば，表示装置２８Ａに当選結果を確定表示して前記普電役物を開放する。これにより第２特図始動口２３Ｂへの入賞が可能となる。
　
第１又は第２特図始動口２３Ａ，２３Ｂへの入賞があると，これに起因して乱数値が抽出され，該乱数値に基づいて特図の当否判定を行い，
判定結果が大当りであれば，
大当り遊技（特別遊技）を実行する
演出図柄表示装置２１には特図に対応する
演出図柄が表示される
　
大当り遊技は，第２大入賞装置２５を開放し所定の時間または入球数が所定数に達して閉じるまでの動作を１ラウンドとして，所定数のラウンドを継続することを基本遊技とし
特定のラウンドにおいて第１大入賞装置２４を開放して
該特定ラウンドにおいて第１大入賞装置２４のＶゾーン２４０への入球があれば，大当り遊技後の遊技状態を大当りの当選確率が高確率となる確率変動（確変）遊技
へと移行する
【００３４】
　以下，作動の詳細を主制御装置４０で実行されるプログラム処理に基づいて説明する。
　図６は
主制御装置４０で実行される
「メインルーチン」は
Ｓ１００〜Ｓ１１０，Ｓ１１５
とで構成され
【００３５】
　正常割り込みなら（Ｓ１００：ｙｅｓ），初期値乱数更新処理（Ｓ１０１），特図の当否判定用の乱数値である大当り決定用乱数の更新処理（Ｓ１０２），特図の大当り図柄決定用乱数の更新処理（Ｓ１０３），普図の当り判定用乱数の更新処理（Ｓ１０４），特図のリーチに関するリーチ判定用乱数の更新処理（Ｓ１０５），特図の変動パターンに関する変動パターン決定用乱数の更新処理（Ｓ１０６），入賞確認処理（Ｓ１０７），
当否判定処理（Ｓ１０８）
（エ）「【００３８】
　
図８ないし図１１は「当否判定処理」のフローチャートを示す。
・・・
【００４０】
　次にＳ３１２の処理で，確変フラグを確認して現在の遊技状態が前記確変遊技状態であるか確認する（確変フラグが「１」であれば確変中）。確変中であれば（Ｓ３１２：ｙｅｓ），確変時の当否判定用テーブルと前記当否判定の対象となる保留記憶の大当り決定用乱数とを対比して大当りか否か当否判定を行う（Ｓ３１３）。
　
確変中でなければ
通常確率（低確率）の
大当りか否か当否判定を行う
（オ）「【００５１】
  前記Ｓ４０２の処理で
第１大入賞装置２４の大入賞口が開放中であれば
第１大入賞装置２４
に規定入賞数
の入賞があったか
又は
開放時間が終了したか
確認できれば第１大入賞装置２４
を閉鎖し
（カ）「【００５９】
　
図１７に示す「確変突入口通過確認処理」は主制御装置４０が実行する前記入賞確認処理（Ｓ１０７）のサブルーチンで，Ｖゾーン２４１への入球を確認する処理である。先ず，前記確変有効フラグが「０」であるか確認し（Ｓ５００），フラグが「０」であれば（Ｓ５００：ｙｅｓ），前記確変突入口有効フラグが「１」でありＶゾーン２４０が有効であることを確認する（Ｓ５０１）。
【００６０】
　
Ｖゾーン２４０が有効であれば（Ｓ５０１：ｙｅｓ），Ｖゾーン２４０（確変突入口）への入球があるかを確認し（Ｓ５０２），入球があれば（Ｓ５０３：ｙｅｓ），確変有効フラグに「１」をセットして確変遊技に移行することを決定する。
・・・
【００６２】
　図１８（ｂ）および図２０に示すように，「開放パターンＡ」，「開放パターンＢ」は大当り遊技のラウンドの総数が９ラウンドで，
９ラウンド目
「開放パターンＡ」は第１大入賞装置２４の開放時間が２８秒と長く，確変の移行を許容する
「開放パターンＢ」は開放時間が１秒で確変の移行を許容しない
【００６３】
　「開放パターンＣ」〜「開放パターンＦ」はラウンドの総数が１５ラウンドで，
９ラウンド目および１５ラウンド目
「開放パターンＣ」では
第１大入賞装置２４の開放時間が２８秒としてあり，「開放パターンＤ」，「開放パターンＥ」では９ラウンド目又は１５ラウンド目のいずれか一方の第１大入賞装置２４の開放時間が２８秒としてあるので確変の移行を許容する
「開放パターンＦ」はいずれのラウンドにおいても開放時間が１秒で確変の移行を許容しない
　「大当り図柄Ｃ」，「開放パターンＣ」，「大当り図柄Ｅ」，「開放パターンＥ」は特許請求の範囲には対応していないが，それぞれ「第５の図柄群」，「第５の開放態様」，「第６の図柄群」，「第６の開放態様」である。そして「開放パターンＡ，Ｂ，Ｄ，Ｆ」と「開放パターンＣ」間，「開放パターンＡ，Ｂ，Ｃ，Ｄ，Ｆ」と「開放パターンＥ」間で図柄が類似するように設定されている。
・・・
【００６５】
　図２１に示すように，「開放パターンＡ，Ｃ，Ｅ」のいずれかの大当り遊技では９ラウンド目の開始時から演出図柄表示装置２１において，第１大入賞装置２４のＶゾーン２４０への入球を煽る（促す）「Ｖ入球煽り演出Ａ」の表示（図２２（ａ））を実行する。
　
Ｖゾーン２４０への入球が有りこれを確変突入口ＳＷが検出すると，「Ｖ入球煽り演出Ａ」を止め
　尚，「開放パターンＣ，Ｅ」では１０ラウンド以降が存在するため，「Ｖ入球演出」を継続しても，Ｖ入球したことを示唆する別の表示を行ってもよく，１０ラウンド以降もＶ入球の示唆を行うようにすることが望ましい。」
（キ）「【００６９】
　
振分羽根部材（振分羽根役物）２４１は，９ラウンド目および１５ラウンド目の第１大入賞装置２４の大入賞口開放開始時から，「開放パターンＢ，Ｄ，Ｆ」の開放時間（１秒）以上の第１の所定時間（４秒）経過後に開き作動して
Ｖゾーン２４０を開放する
第１大入賞装置２４に入球した遊技球がＶゾーン２４０へ入球する
Ｖ入球可能な状態とする
・・・
【００７２】
　図２２は前記
Ｖゾーン２４０
９ラウンド目の開始時には，演出図柄表示装置２１の画面に，
「大入賞口が閉鎖する前にＶにいれろ」等のＶゾーン２４１への入球を煽るテロップ表示２１２を行う
・・・
【００７８】
　図２４は，「開放パターンＤ，Ｆ」における１５ラウンド目の前記Ｖゾーン入球演出の表示態様の一例を示す。
１５ラウンド目の開始時
「
大入賞口が閉鎖する前にＶにいれろ」等のＶゾーン２４１への入球を示唆するテロップ表示２１２を行う
（ク）
図３（ａ）（ｂ）では，「Ｖ」と記載された部材が２４０であり，開閉する振分羽根部材が２４１である点が図示
（ケ）
図９には，最後に「特別遊技処理」を行う点が図示
また，
図１２は，「特別遊技処理」であり，Ｓ４０７において「大入賞口開放処理」を行う点が図示
（コ）
図１７には，Ｓ５０２（確変突入口に入球？）において，ｎｏの場合Ｓ５０３（確変有効フラグ＝１）に移行せず，リターンに移行する点が図示
（サ）図１８（ｂ）には，
「
開放パターンＡ
連続作動回数９回目
第１大入賞口を２８秒
「開放パターンＢ　連続作動回数１〜８回目　第２大入賞口を２８秒　連続作動回数９回目　第１大入賞口を１秒」，
「
開放パターンＣ
連続作動回数９，１５回目
第１大入賞口を２８秒
「
開放パターンＤ
連続作動回数１５回目
第１大入賞口を２８秒
「
開放パターンＥ
連続作動回数９回目
第１大入賞口を２８秒
「開放パターンＦ　連続作動回数１〜８，１０〜１４回目　第２大入賞口を２８秒　連続作動回数９回目　第１大入賞口を１秒　連続作動回数１５回目　第１大入賞口を１秒」と記載されている。
　また，上記【００６２】には「９ラウンド目・・・「開放パターンＡ」は第１大入賞装置２４の開放時間が２８秒と長く，確変の移行を許容する・・・「開放パターンＢ」は開放時間が１秒で確変の移行を許容しない」と記載され，上記【００６３】には「９ラウンド目および１５ラウンド目・・・「開放パターンＣ」では・・・第１大入賞装置２４の開放時間が２８秒としてあり，「開放パターンＤ」，「開放パターンＥ」では９ラウンド目又は１５ラウンド目のいずれか一方の第１大入賞装置２４の開放時間が２８秒としてあるので確変の移行を許容する・・・「開放パターンＦ」はいずれのラウンドにおいても開放時間が１秒で確変の移行を許容しない」と記載されているから，図１８（ｂ）及び上記【００６２】〜【００６３】には，
開放パターンＡ，Ｃ，Ｅの９ラウンド目，及び開放パターンＣ，Ｄの１５ラウンド目は，第１大入賞装置２４の開放時間が２８秒と長く，確変の移行を許容する
　上記記載事項（ア）〜（キ），上記図示内容（ク）〜（コ），上記（サ）の図示内容及び認定事項より，以下の事項が導かれる。
　なお，（ａ）〜（ｉ）は，本願補正発明の構成Ａ〜Ｉに対応した事項を示している。
（ａ）上記【００３３】には「第１又は第２特図始動口２３Ａ，２３Ｂへの入賞があると，これに起因して乱数値が抽出され，該乱数値に基づいて特図の当否判定を行い」と記載され，上記【請求項１】には「始動口への入球に起因して抽出された乱数値に基づいて大当り遊技を生起するか否かを判定する当否判定手段と」と記載され，上記【００３４】には「主制御装置４０で実行される・・・「メインルーチン」は・・・Ｓ１００〜Ｓ１１０，Ｓ１１５・・・とで構成され」と記載され，上記【００３５】には「当否判定処理（Ｓ１０８）」と記載されているから，刊行物１には，
第１又は第２特図始動口２３Ａ，２３Ｂへの入球に起因して抽出された乱数値に基づいて大当り遊技を生起するか否かの特図の当否判定を行う主制御装置４０
（ｂ）上記【００３１】には「サブ統合制御装置４２は，スピーカ１１２を駆動して音声を出力する・・・更に演出図柄制御装置４３へ・・・演出や特図の・・図柄の表示態様のコマンドを送信する」と記載され，上記【００１２】には「スピーカ１１２・・・により遊技音が出力され」と記載され，上記【００３２】には「演出図柄制御装置４３は，サブ統合制御装置４２から送られてくるコマンドに応じて演出図柄表示装置２１の・・・表示を制御する」と記載され，上記【００３３】には「演出図柄表示装置２１には特図に対応する・・演出図柄が表示される」と記載されているから，刊行物１には，
スピーカ１１２を駆動して遊技音を出力すると共に，演出図柄制御装置４３へ演出や特図の図柄の表示態様のコマンドを送信し，演出図柄表示装置２１に演出や特図に対応する演出図柄を表示させるサブ統合制御装置４２
（ｃ）上記【００３１】には「サブ統合制御装置４２は，スピーカ１１２を駆動して音声を出力する」と記載され，上記【００１２】には「スピーカ１１２・・・により遊技音が出力され」と記載されているから，刊行物１には，
サブ統合制御装置４２によって遊技音を出力するスピーカ１１２
（ｄ）上記【００１２】には「スピーカ１１２・・・により遊技音が出力され」と記載され，上記【００３１】には「サブ統合制御装置４２には，音量調節ＳＷ・・・の操作信号が入力される。・・・サブ統合制御装置４２は，スピーカ１１２を駆動して音声を出力する」と記載されているから，刊行物１には，
遊技音を出力するスピーカ１１２を駆動するサブ統合制御装置４２に操作信号を入力する音量調節ＳＷ
（ｅ）上記【００３３】には「特図の当否判定を行い，・・・判定結果が大当りであれば，・・・大当り遊技（特別遊技）を実行する・・・大当り遊技は，第２大入賞装置２５を開放し所定の時間または入球数が所定数に達して閉じるまでの動作を１ラウンドとして，所定数のラウンドを継続することを基本遊技とし・・・特定のラウンドにおいて第１大入賞装置２４を開放して・・・第１大入賞装置２４のＶゾーン２４０への入球があれば」と記載され，上記【００６９】には「振分羽根部材（振分羽根役物）２４１は，９ラウンド目および１５ラウンド目の第１大入賞装置２４の大入賞口開放開始時から，「開放パターンＢ，Ｄ，Ｆ」の開放時間（１秒）以上の第１の所定時間（４秒）経過後に開き作動して・・・Ｖゾーン２４０を開放する・・・第１大入賞装置２４に入球した遊技球がＶゾーン２４０へ入球する・・・Ｖ入球可能な状態とする」と記載され，上記（サ）で認定したように，図１８（ｂ）及び上記【００６２】〜【００６３】には，開放パターンＡ，Ｃ，Ｅの９ラウンド目，及び開放パターンＣ，Ｄの１５ラウンド目は，第１大入賞装置２４の開放時間が２８秒と長く，確変の移行を許容することが記載されているといえ，上記【００５１】には「第１大入賞装置２４の大入賞口が開放中であれば・・・第１大入賞装置２４・・・に規定入賞数・・・の入賞があったか・・・又は・・・開放時間が終了したか・・・確認できれば第１大入賞装置２４・・・を閉鎖し」と記載されているから，刊行物１には，
特図の当否判定を行い，判定結果が大当り遊技（特別遊技）を実行する大当りであれば，第２大入賞装置２５を開放し所定の時間または入球数が所定数に達して閉じるまでの動作を１ラウンドとして，所定数のラウンドを継続することを基本遊技とし，特定のラウンド（９ラウンド目および１５ラウンド目）において第１大入賞装置２４を開放し，開放パターンＡ，Ｃ，Ｅの９ラウンド目，及び開放パターンＣ，Ｄの１５ラウンド目に，第１大入賞装置２４の開放開始時から４秒経過後に，第１大入賞装置２４に入球した遊技球がＶゾーン２４０へ入球可能な状態とし，第１大入賞装置２４に規定入賞数があったか，又は開放時間が終了したか確認できれば第１大入賞装置２４を閉鎖する，大当り遊技（特別遊技）を実行する
　また，上記【００３４】には「主制御装置４０で実行される・・・「メインルーチン」は・・・Ｓ１００〜Ｓ１１０，Ｓ１１５・・・とで構成され」と記載され，上記【００３５】には「当否判定処理（Ｓ１０８）」と記載され，上記【００３８】には「図８ないし図１１は「当否判定処理」のフローチャートを示す。」と記載され，上記図示内容（ケ）で認定したように，図９には，最後に「特別遊技処理」を行う点が図示され，図１２は「特別遊技処理」であり，Ｓ４０７において「大入賞口開放処理」を行う点が図示されているから，刊行物１には，
主制御装置４０が特別遊技を実行する
　以上のことから，刊行物１には，
特図の当否判定を行い，判定結果が大当り遊技（特別遊技）を実行する大当りであれば，第２大入賞装置２５を開放し所定の時間または入球数が所定数に達して閉じるまでの動作を１ラウンドとして，所定数のラウンドを継続することを基本遊技とし，特定のラウンド（９ラウンド目および１５ラウンド目）において第１大入賞装置２４を開放し，開放パターンＡ，Ｃ，Ｅの９ラウンド目，及び開放パターンＣ，Ｄの１５ラウンド目に，第１大入賞装置２４の開放開始時から４秒経過後に，第１大入賞装置２４に入球した遊技球がＶゾーン２４０へ入球可能な状態とし，第１大入賞装置２４に規定入賞数があったか，又は開放時間が終了したか確認できれば第１大入賞装置２４を閉鎖する，大当り遊技（特別遊技）を実行する主制御装置４０
（ｆ，ｇ）上記【００３３】には「該特定ラウンドにおいて第１大入賞装置２４のＶゾーン２４０への入球があれば，大当り遊技後の遊技状態を大当りの当選確率が高確率となる確率変動（確変）遊技・・・へと移行する」と記載され，上記【００６９】には「９ラウンド目および１５ラウンド目の第１大入賞装置２４の大入賞口開放開始」と記載され，上記【００５９】には「図１７に示す「確変突入口通過確認処理」は主制御装置４０が実行する前記入賞確認処理（Ｓ１０７）のサブルーチンで，Ｖゾーン２４１への入球を確認する処理である。」と記載され，上記（ｅ）において言及したように「大当り遊技」は「大当り遊技（特別遊技）」であるといえるから，刊行物１には，
該特定ラウンド（９ラウンド目および１５ラウンド目）において第１大入賞装置２４のＶゾーン２４０への入球があれば，大当り遊技（特別遊技）後の遊技状態を大当りの当選確率が高確率となる確率変動（確変）の状態へと移行させる主制御装置４０
　また，既に認定した［ｇの構成］を参照すると共に，上記【００５９】には「図１７に示す「確変突入口通過確認処理」は主制御装置４０が実行する前記入賞確認処理（Ｓ１０７）のサブルーチンで，Ｖゾーン２４１への入球を確認する処理である。先ず，前記確変有効フラグが「０」であるか確認し（Ｓ５００），フラグが「０」であれば（Ｓ５００：ｙｅｓ），前記確変突入口有効フラグが「１」でありＶゾーン２４０が有効であることを確認する（Ｓ５０１）。」と記載され，上記【００６０】には「Ｖゾーン２４０が有効であれば（Ｓ５０１：ｙｅｓ），Ｖゾーン２４０（確変突入口）への入球があるかを確認し（Ｓ５０２），入球があれば（Ｓ５０３：ｙｅｓ），確変有効フラグに「１」をセットして確変遊技に移行することを決定する。」と記載され，上記図示内容（コ）で認定したように，図１７には，Ｓ５０２（確変突入口に入球？）において，ｎｏの場合Ｓ５０３（確変有効フラグ＝１）に移行せず，リターンに移行する点が図示され，上記【００４０】には「確変中でなければ・・・通常確率（低確率）の・・・大当りか否か当否判定を行う」と記載されているから，刊行物１には，
該特定ラウンド（９ラウンド目および１５ラウンド目）において第１大入賞装置２４のＶゾーン２４０への入球がなければ，大当り遊技（特別遊技）後の遊技状態を大当りの当選確率を通常確率（低確率）の状態にする主制御装置４０
（ｈ）上記【００７２】には「Ｖゾーン２４０・・・「大入賞口が閉鎖する前にＶにいれろ」等のＶゾーン２４１への入球を」と記載され，上記【００７８】には「Ｖゾーン２４１」と記載されており，Ｖゾーンが２４０なのか，２４１なのか不明であるが，上記【００７１】には「振分羽根役物２４１によるＶゾーン２４０」と記載され，上記図示内容（ク）で認定したように，図３（ａ）（ｂ）では，「Ｖ」と記載された部材が２４０であり，開閉する振分羽根部材が２４１である点が図示されているから，上記【００７２】及び【００７８】の「Ｖゾーン２４１」は，「Ｖゾーン２４０」の誤記であるといえる。
　上記（ｂ）において検討したように，「サブ統合制御装置４２」は「演出図柄制御装置４３へ演出や特図の図柄の表示態様のコマンドを送信し，演出図柄表示装置２１に演出や特図に対応する演出図柄を表示させる」といえ，上記（ｅ）において検討したように，「大当り遊技（特別遊技）を実行する主制御装置４０」は「特定のラウンド（９ラウンド目および１５ラウンド目）において第１大入賞装置２４を開放し，開放パターンＡ，Ｃ，Ｅの９ラウンド目，及び開放パターンＣ，Ｄの１５ラウンド目に，第１大入賞装置２４の開放開始時から４秒経過後に，第１大入賞装置２４に入球した遊技球がＶゾーン２４０へ入球可能な状態と」するといえ，上記【００７２】には「９ラウンド目の開始時には，演出図柄表示装置２１の画面に，・・・「大入賞口が閉鎖する前にＶにいれろ」等のＶゾーン２４０（当審注：上述のように「２４１」は「２４０」の誤記と認められる。）への入球を煽るテロップ表示２１２を行う」と記載され，上記【００７８】には「１５ラウンド目の開始時・・・「・・・大入賞口が閉鎖する前にＶにいれろ」等のＶゾーン２４０（当審注：上述のように「２４１」は「２４０」の誤記と認められる。）への入球を示唆するテロップ表示２１２を行う」と記載され，上記【００６５】には「Ｖゾーン２４０への入球が有りこれを確変突入口ＳＷが検出すると，「Ｖ入球煽り演出Ａ」を止め」と記載されているから，刊行物１には，
サブ統合制御装置４２は，大当り遊技（特別遊技）を実行する主制御装置４０により第１大入賞装置２４に入球した遊技球がＶゾーン２４０へ入球可能な状態となる，開放パターンＡ，Ｃ，Ｅの９ラウンド目，及び開放パターンＣ，Ｄの１５ラウンド目のとき，９，１５ラウンドの開始時からＶゾーン２４０への入球が有りこれを確変突入口ＳＷが検出するまで，演出図柄表示装置２１の画面に「大入賞口が閉鎖する前にＶにいれろ」等のＶゾーン２４０への入球を煽るテロップ表示２１２を行う
（ｉ）上記【００３３】には「パチンコ機１」と記載されている。
　上記記載事項（ア）〜（キ），上記図示内容（ク）〜（コ），上記（サ）の図示内容及び認定事項及び上記認定事項（ａ）〜（ｉ）から，刊行物１には，次の発明（以下，「引用発明１」という。）が記載されていると認められる。
「ａ　第１又は第２特図始動口２３Ａ，２３Ｂへの入球に起因して抽出された乱数値に基づいて大当り遊技を生起するか否かの特図の当否判定を行う主制御装置４０と，
ｂ　スピーカ１１２を駆動して遊技音を出力すると共に，演出図柄制御装置４３へ演出や特図の図柄の表示態様のコマンドを送信し，演出図柄表示装置２１に演出や特図に対応する演出図柄を表示させるサブ統合制御装置４２と，
ｃ　サブ統合制御装置４２によって遊技音を出力するスピーカ１１２と，
ｄ　遊技音を出力するスピーカ１１２を駆動するサブ統合制御装置４２に操作信号を入力する音量調節ＳＷと，
ｅ　特図の当否判定を行い，判定結果が大当り遊技（特別遊技）を実行する大当りであれば，第２大入賞装置２５を開放し所定の時間または入球数が所定数に達して閉じるまでの動作を１ラウンドとして，所定数のラウンドを継続することを基本遊技とし，特定のラウンド（９ラウンド目および１５ラウンド目）において第１大入賞装置２４を開放し，開放パターンＡ，Ｃ，Ｅの９ラウンド目，及び開放パターンＣ，Ｄの１５ラウンド目に，第１大入賞装置２４の開放開始時から４秒経過後に，第１大入賞装置２４に入球した遊技球がＶゾーン２４０へ入球可能な状態とし，第１大入賞装置２４に規定入賞数があったか，又は開放時間が終了したか確認できれば第１大入賞装置２４を閉鎖する，大当り遊技（特別遊技）を実行する主制御装置４０と，
ｆ　該特定ラウンド（９ラウンド目および１５ラウンド目）において第１大入賞装置２４のＶゾーン２４０への入球がなければ，大当り遊技（特別遊技）後の遊技状態を大当りの当選確率を通常確率（低確率）の状態にする主制御装置４０と，
ｇ　該特定ラウンド（９ラウンド目および１５ラウンド目）において第１大入賞装置２４のＶゾーン２４０への入球があれば，大当り遊技（特別遊技）後の遊技状態を大当りの当選確率が高確率となる確率変動（確変）の状態へと移行させる主制御装置４０と，
を備え，
ｈ　サブ統合制御装置４２は，大当り遊技（特別遊技）を実行する主制御装置４０により第１大入賞装置２４に入球した遊技球がＶゾーン２４０へ入球可能な状態となる，開放パターンＡ，Ｃ，Ｅの９ラウンド目，及び開放パターンＣ，Ｄの１５ラウンド目のとき，９，１５ラウンドの開始時からＶゾーン２４０への入球が有りこれを確変突入口ＳＷが検出するまで，演出図柄表示装置２１の画面に「大入賞口が閉鎖する前にＶにいれろ」等のＶゾーン２４０への入球を煽るテロップ表示２１２を行う
ｉ　パチンコ機１。」
（３）対比
　本件補正発明と引用発明１とを対比する。
（ａ）引用発明１の「第１又は第２特図始動口２３Ａ，２３Ｂへの入球」及び「特図の当否判定を行う主制御装置４０」は，それぞれ，本件補正発明の「始動条件」及び「特別遊技判定手段」に相当する。
　また，引用発明１の「大当り遊技」は，遊技者にとって有利な状態であることは明らかであるから，本件補正発明の「遊技者にとって有利な特別遊技状態」に相当する。
　以上のことから，引用発明１の「第１又は第２特図始動口２３Ａ，２３Ｂへの入球に起因して抽出された乱数値に基づいて大当り遊技を生起するか否かの特図の当否判定を行う主制御装置４０」は，本件補正発明の「始動条件が成立することにより遊技者にとって有利な特別遊技状態へ移行させるか否かを判定する特別遊技判定手段」に相当する。
（ｂ）引用発明１の「スピーカ１１２」及び「演出図柄表示装置２１」は，本件補正発明の「所定の演出手段」に相当する。
　また，引用発明１の「サブ統合制御装置４２」は，本件補正発明の「演出制御手段」に相当する。
　以上のことから，引用発明１の「スピーカ１１２を駆動して遊技音を出力すると共に，演出図柄制御装置４３へ演出や特図の図柄の表示態様のコマンドを送信し，演出図柄表示装置２１に演出や特図に対応する演出図柄を表示させるサブ統合制御装置４２」は，本件補正発明の「前記特別遊技判定手段による判定結果に基づいて，所定の演出手段に演出を行わせる演出制御手段」に相当する。
（ｃ）引用発明１の「遊技音」及び「スピーカ１１２」は，それぞれ，本件補正発明の「演出音」及び「スピーカー」に相当する。
　引用発明１の「サブ統合制御装置４２」は，上記（ｂ）において言及したように，「スピーカ１１２を駆動して遊技音を出力する」だけでなく，「演出図柄制御装置４３へ演出や特図の図柄の表示態様のコマンドを送信し，演出図柄表示装置２１に演出や特図に対応する演出図柄を表示させる」ものであり，遊技機の技術分野において，演出表示に対応する遊技音（演出音）を出力させることは技術常識である。これらのことから，引用発明１の遊技音は，サブ統合制御装置４２（演出制御手段）によって演出図柄表示装置２１に演出や演出図柄を表示させることに対応する遊技音（演出音）であることは，明らかである。
　以上のことから，引用発明１の「サブ統合制御装置４２によって遊技音を出力するスピーカ１１２」は，本件補正発明の「前記演出制御手段によって行われる演出に対応する演出音を出力するスピーカー」に相当する。　
（ｄ）引用発明１の「音量調節ＳＷ」は，本件補正発明の「音量調整手段」に相当する。
　また，引用発明１の「音量調節ＳＷ」は，「遊技音を出力するスピーカ１１２を駆動するサブ統合制御装置４２に操作信号を入力する」ものであり，この「操作信号」は，スピーカ１１２から出力される遊技音の音量調整に関する操作信号であることは明らかである。
　しかしながら，引用発明１の「音量調節ＳＷ」は，調整操作に基づいて音量が変更されることは明らかであるが，調整操作を行うのが遊技者であるか不明である。
　以上のことから，引用発明１の「遊技音を出力するスピーカ１１２を駆動するサブ統合制御装置４２に操作信号を入力する音量調節ＳＷ」は，本件補正発明と「前記スピーカーから出力される演出音の音量レベルを」，「調整操作に基づいて変更する音量調整手段」である点で共通している。
（ｅ）引用発明１の「第２大入賞装置２５」，「Ｖゾーン２４０」，「第１大入賞装置２４」，「大当り遊技（特別遊技）を実行する主制御装置４０」は，それぞれ，本件補正発明の「第１可変入賞装置」，「所定通過領域」，「第２可変入賞装置」及び「開放特別遊技を行わせる特別遊技制御手段」に相当する。
　また，引用発明１の「特図の当否判定を行い，判定結果が大当り遊技（特別遊技）を実行する大当りであれば」は，本件補正発明の「前記特別遊技状態に移行させるか否かの判定において前記特別遊技状態へ移行させると判定された場合に」に相当する。
　そして，引用発明１の「第２大入賞装置２５」は，閉じた時入球不可能であることは明らかであるから，引用発明１の「開放し所定の時間または入球数が所定数に達して閉じる」「第２大入賞装置２５」は，本件補正発明の「遊技球が入球不可能な閉状態と遊技球が入球可能な開状態とに作動し得る第１可変入賞装置」に相当する。
　さらに，引用発明１の「第１大入賞装置２４」も，閉じた時入球不可能であることは明らかであるから，引用発明１の「開放し，開放パターンＡ，Ｃ，Ｅの９ラウンド目，及び開放パターンＣ，Ｄの１５ラウンド目に，第１大入賞装置２４の開放開始時から４秒経過後に，第１大入賞装置２４に入球した遊技球がＶゾーン２４０へ入球可能な状態とし，第１大入賞装置２４に規定入賞数があったか，又は開放時間が終了したか確認できれば」「閉鎖する」「第１大入賞装置２４」は，本件補正発明の「遊技球が入賞不可能な閉状態と遊技球が入賞可能な開状態とに作動し得ると共に入球した遊技球が通過可能な所定通過領域を有する第２可変入賞装置」に相当する。
　加えて，引用発明１の「第２大入賞装置２５を開放し」「閉じるまでの動作を１ラウンドとして，所定数のラウンドを継続することを基本遊技とし，特定のラウンド（９ラウンド目および１５ラウンド目）において第１大入賞装置２４を開放し」，「閉鎖する，大当り遊技（特別遊技）を実行する主制御装置４０」は，本件補正発明の「第１可変入賞装置，及び」，「第２可変入賞装置のうちいずれか一方の可変入賞装置を，前記開状態に作動させるラウンド遊技を複数ラウンド有する開放特別遊技を行わせる特別遊技制御手段」に相当する。
　以上のことから，引用発明１の「特図の当否判定を行い，判定結果が大当り遊技（特別遊技）を実行する大当りであれば，第２大入賞装置２５を開放し所定の時間または入球数が所定数に達して閉じるまでの動作を１ラウンドとして，所定数のラウンドを継続することを基本遊技とし，特定のラウンド（９ラウンド目および１５ラウンド目）において第１大入賞装置２４を開放し，開放パターンＡ，Ｃ，Ｅの９ラウンド目，及び開放パターンＣ，Ｄの１５ラウンド目に，第１大入賞装置２４の開放開始時から４秒経過後に，第１大入賞装置２４に入球した遊技球がＶゾーン２４０へ入球可能な状態とし，第１大入賞装置２４に規定入賞数があったか，又は開放時間が終了したか確認できれば第１大入賞装置２４を閉鎖する，大当り遊技（特別遊技）を実行する主制御装置４０」は，本件補正発明の「前記特別遊技状態に移行させるか否かの判定において前記特別遊技状態へ移行させると判定された場合に，遊技球が入球不可能な閉状態と遊技球が入球可能な開状態とに作動し得る第１可変入賞装置，及び，遊技球が入賞不可能な閉状態と遊技球が入賞可能な開状態とに作動し得ると共に入球した遊技球が通過可能な所定通過領域を有する第２可変入賞装置のうちいずれか一方の可変入賞装置を，前記開状態に作動させるラウンド遊技を複数ラウンド有する開放特別遊技を行わせる特別遊技制御手段」に相当する。
（ｆ）引用発明１の「大当り遊技（特別遊技）後」は，主制御装置４０により大当り遊技（特別遊技）を実行した後であるから，本件補正発明の「前記特別遊技制御手段により前記開放特別遊技が行われた後」に相当する。
　また，引用発明１の「大当りの当選確率」及び「通常確率（低確率）の状態」は，それぞれ，本件補正発明の「特別遊技状態に移行させるか否かの判定において特別遊技状態へ移行させると判定される確率」及び「第１の確率に設定される低確率遊技状態」に相当する。
　以上のことから，引用発明１の「該特定ラウンド（９ラウンド目および１５ラウンド目）において第１大入賞装置２４のＶゾーン２４０への入球がなければ，大当り遊技（特別遊技）後の遊技状態を大当りの当選確率を通常確率（低確率）の状態にする主制御装置４０」は，本件補正発明の「前記特別遊技制御手段により前記開放特別遊技が行われた後に，当該開放特別遊技中に前記第２可変入賞装置に入球した遊技球が前記所定通過領域を通過していないときには，特別遊技状態に移行させるか否かの判定において特別遊技状態へ移行させると判定される確率が第１の確率に設定される低確率遊技状態で遊技を制御する低確率遊技状態制御手段」に相当する。
（ｇ）引用発明１の「高確率となる確率変動（確変）の状態」は，「通常確率（低確率）の状態」よりも高確率の状態であるから，本件補正発明の「前記第１の確率よりも高い第２の確率に設定される高確率遊技状態」に相当する。
　以上のことから，引用発明１の「該特定ラウンド（９ラウンド目および１５ラウンド目）において第１大入賞装置２４のＶゾーン２４０への入球があれば，大当り遊技（特別遊技）後の遊技状態を大当りの当選確率が高確率となる確率変動（確変）の状態へと移行させる主制御装置４０」は，本件補正発明の「前記特別遊技制御手段により前記開放特別遊技が行われた後に，当該開放特別遊技中に前記第２可変入賞装置に入球した遊技球が前記所定通過領域を通過しているときには，特別遊技状態へ移行させるか否かの判定において特別遊技状態へ移行させると判定される確率が前記第１の確率よりも高い第２の確率に設定される高確率遊技状態で遊技を制御する高確率遊技状態制御手段」に相当する。
　
（ｈ）引用発明１は「第１大入賞装置２４に入球した遊技球がＶゾーン２４０へ入球可能な状態となる，開放パターンＡ，Ｃ，Ｅの９ラウンド目，及び開放パターンＣ，Ｄの１５ラウンド目のとき，９，１５ラウンドの開始時からＶゾーン２４０への入球が有りこれを確変突入口ＳＷが検出するまで，演出図柄表示装置２１の画面に「大入賞口が閉鎖する前にＶにいれろ」等のＶゾーン２４０への入球を煽るテロップ表示２１２」が表示されるものであり，上記テロップ表示２１２の「大入賞口」は，「第１大入賞装置２４」であるといえる。また，遊技盤面には多くの釘があるので，特定の狭い位置を狙って遊技球を発射させることはできない。このことから，第１大入賞装置２４のＶゾーン２４０へ入球させるとき，遊技者は，第１大入賞装置２４のＶゾーン２４０を狙って遊技球を発射させるのではなく，第１大入賞装置２４に多くの遊技球を入賞させることによりＶゾーン２４０に遊技球を入賞させようとするといえるので，上記テロップ表示２１２は，第１大入賞装置２４に向けて遊技球を発射するように報知しているといえる。
　また，引用発明１は，上記（ｅ）において言及したように，Ｖゾーン２４０へ入球可能となるのは，報知開始後である開放開始時から４秒経過後であるが，引用発明１は，第１大入賞装置２４に入球した遊技球がＶゾーン２４０へ入球可能な状態となることを，９，１５ラウンドの開始時からＶゾーン２４０への入球が有りこれを確変突入口ＳＷが検出するまで，テロップ表示２１２により報知するから，報知する期間にＶゾーン２４０へ入球可能となるときが含まれていることは明らかである。
　しかしながら，引用発明１は，演出図柄表示装置２１の画面に「大入賞口が閉鎖する前にＶにいれろ」等の第１大入賞装置２４に向けて遊技球を発射するテロップ表示２１２を行うことは記載されているが，テロップ表示２１２するときに，第１大入賞装置２４に向けて遊技球を発射する遊技音をスピーカ１１２から出力しているか明記されていない。
　以上のことから，引用発明１の「サブ統合制御装置４２は，大当り遊技（特別遊技）を実行する主制御装置４０により第１大入賞装置２４に入球した遊技球がＶゾーン２４０へ入球可能な状態となる，開放パターンＡ，Ｃ，Ｅの９ラウンド目，及び開放パターンＣ，Ｄの１５ラウンド目のとき，９，１５ラウンドの開始時に，演出図柄表示装置２１の画面に「大入賞口が閉鎖する前にＶにいれろ」等のＶゾーン２４０への入球を煽るテロップ表示２１２を行う」ことは，本件補正発明と「前記演出制御手段は，前記特別遊技制御手段により前記第２可変入賞装置に入球する遊技球が前記所定通過領域を通過可能となるときに，前記第２可変入賞装置に向けて遊技球を発射するよう報知する」点で共通しているといえる。
（ｉ）引用発明１の「パチンコ機１」は，本件補正発明の「遊技機」に相当する。
　上記（ａ）〜（ｉ）から，本件補正発明と引用発明１とは，
［一致点］
「Ａ　始動条件が成立することにより遊技者にとって有利な特別遊技状態へ移行させるか否かを判定する特別遊技判定手段と，
Ｂ　前記特別遊技判定手段による判定結果に基づいて，所定の演出手段に演出を行わせる演出制御手段と，
Ｃ　前記演出制御手段によって行われる演出に対応する演出音を出力するスピーカーと，
Ｄ’前記スピーカーから出力される演出音の音量レベルを，調整操作に基づいて変更する音量調整手段と，
Ｅ　前記特別遊技状態に移行させるか否かの判定において前記特別遊技状態へ移行させると判定された場合に，遊技球が入球不可能な閉状態と遊技球が入球可能な開状態とに作動し得る第１可変入賞装置，及び，遊技球が入賞不可能な閉状態と遊技球が入賞可能な開状態とに作動し得ると共に入球した遊技球が通過可能な所定通過領域を有する第２可変入賞装置のうちいずれか一方の可変入賞装置を，前記開状態に作動させるラウンド遊技を複数ラウンド有する開放特別遊技を行わせる特別遊技制御手段と，
Ｆ　前記特別遊技制御手段により前記開放特別遊技が行われた後に，当該開放特別遊技中に前記第２可変入賞装置に入球した遊技球が前記所定通過領域を通過していないときには，特別遊技状態に移行させるか否かの判定において特別遊技状態へ移行させると判定される確率が第１の確率に設定される低確率遊技状態で遊技を制御する低確率遊技状態制御手段と，
Ｇ　前記特別遊技制御手段により前記開放特別遊技が行われた後に，当該開放特別遊技中に前記第２可変入賞装置に入球した遊技球が前記所定通過領域を通過しているときには，特別遊技状態へ移行させるか否かの判定において特別遊技状態へ移行させると判定される確率が前記第１の確率よりも高い第２の確率に設定される高確率遊技状態で遊技を制御する高確率遊技状態制御手段と，
を備え，
Ｈ’前記演出制御手段は，前記特別遊技制御手段により前記第２可変入賞装置に入球する遊技球が前記所定通過領域を通過可能となるときに，前記第２可変入賞装置に向けて遊技球を発射するよう報知する，
Ｉ’遊技機。」
　である点で一致し，以下の点で相違する。
［相違点１］（構成Ｄ）
　「前記スピーカーから出力される演出音の音量レベルを」，「調整操作に基づいて変更する音量調整手段」に関して，
　本件発明は，「遊技者による調整操作に基づいて変更する」のに対して，
　引用発明１は，遊技者によるものなのか不明である点。
［相違点２］（構成Ｈ）
　「前記演出制御手段」が，「前記特別遊技制御手段により前記第２可変入賞装置に入球する遊技球が前記所定通過領域を通過可能となるときに，前記第２可変入賞装置に向けて遊技球を発射するよう報知する」手段に関して，
　本件発明は，「特定演出音を前記スピーカーから出力させ」るのに対して，
　引用発明１は，演出図柄表示装置２１の画面に「大入賞口が閉鎖する前にＶにいれろ」等の第１大入賞装置２４に向けて遊技球を発射するように報知するテロップ表示２１２を行うことは記載されているが，テロップ表示２１２をするときに，第１大入賞装置２４に向けて遊技球を発射する遊技音をスピーカ１１２から出力しているか明記されていない点。
［相違点３］（構成Ｉ）
　「前記音量調整手段」に関して，
　本件発明は，「前記特別遊技制御手段により前記第２可変入賞装置に入球する遊技球が前記所定通過領域を通過可能となるときに，前記スピーカーから出力される前記特定演出音の音量レベルを所定レベル以上に変更する」のに対して，
　引用発明１は，スピーカ１１２を有するが，そのような構成でない点。
　
（４）判断
ア　相違点１について
　遊技機において，スピーカーから出力される演出音の音量を，遊技者による調整操作に基づいて変更することは，平成２７年１１月１８日付けの拒絶理由の通知で文献３とした刊行物２（特開２００９−１１４０８号公報。【００４４】〜【００４５】，【００８７】，【０１６２】，【０１７３】には，スピーカ５４，５６から出力する演出を実行する音声の音量を，遊技者の音量調節スイッチ５８，６０の操作により調節するパチンコ機１が記載されている。），平成２７年１１月１８日付けの拒絶理由の通知で文献４とした刊行物３（特開２００２−５２１２５号公報。【００１７】，【００２０】〜【００２２】には，スピーカー２から発せられる効果音の音量を，遊技者が遊技者用音量調節操作手段１２により調節する遊技機１が記載されている。），刊行物４（特開２００７−８９６４９号公報。【００４５】，【００５１】，【００５３】，【００９４】には，演出用スピーカ６１０（音響装置）から発せられる音の音量を，遊技者が音量調節ボタン８１により調節するパチンコ機１０が記載されている。）に記載されているように周知（以下，「周知技術１」という。）である。
　引用発明１と周知技術１は共に，遊技機におけるスピーカーから出力される音量を調整する技術に関する発明又は技術であり，技術分野及び機能が共通している。
　引用発明１の音量調節ＳＷに，上記周知技術１を適用して，遊技者による調整操作ができるように配置して，上記相違点１に係る本件発明の構成とすることは，当業者が適宜なし得たことである。
イ　相違点２について
　遊技機において，表示装置による演出に合わせて，演出音をスピーカーから出力することは，上記刊行物２（【００８７】〜【００８８】，【００９３】〜【００９６】，【０１０６】，【０１４５】，【０１５１】，図５，９，１１には，パチンコ機１において，液晶表示器４２による演出に合わせてスピーカ５４，５６を用いた音声出力による演出で「リーチ！」，「おおあたり！」等の音声を出力をする点が記載されている。），上記刊行物４（【００５１】，【０１７３】〜【０１７４】，【０１９５】，【０１９７】には，サブ制御装置２６２では，装飾図柄表示装置４２の装飾図柄の変動表示に応じた演出用スピーカ６１０の鳴動制御を行い，大当たり中の各ラウンドの演出用スピーカ６１０（音響）及び装飾図柄表示装置４２の画面表示を制御する開放中コマンドにより，可変入賞装置が稼動中は，装飾図柄表示装置４２の画像を表示させ，かつ演出用スピーカ６１０から音響を出力させる［表示装置による演出に合わせて，演出音をスピーカーから出力する］パチンコ機１０が記載されている。）に記載されているように周知（以下，「周知技術２」という。）である。
　引用発明１と周知技術２は共に，遊技機おける演出表示に関する発明又は技術であり，技術分野が共通している。
　引用発明１の遊技音を出力するスピーカ１１２に，上記周知技術２を適用して，第１大入賞装置２４（第２可変入賞装置）に入球した遊技球がＶゾーン２４０（所定通過領域）へ入球可能な状態のときに，「大入賞口が閉鎖する前にＶにいれろ」等の第１大入賞装置２４に向けて遊技球を発射する遊技音を出力する構成にして，上記相違点２に係る本件発明の構成とすることは，当業者が適宜なし得たことである。
ウ　相違点３について
　遊技機の技術分野において，大当たりが確変になるかならないかということが，遊技者にとって重要な関心事であることは，技術常識である。
　また，引用発明１において，大当たり中の第１大入賞装置２４に入球した遊技球がＶゾーン２４０へ入球可能な状態となるとき，「大入賞口が閉鎖する前にＶにいれろ」等の第１大入賞装置２４に向けて遊技球を発射する遊技音を出力することは，遊技球を大量に獲得可能となる大当たりに当選しやすい遊技状態である，確変になるチャンスを逃したくない遊技者にとって，重要な関心事であるといえる。
　遊技機において，スピーカーから出力される遊技者にとって重要な遊技球の獲得に関する特定演出音の音量レベルを，所定レベル以上にすることは，上記刊行物２（【００１２】，【００１５】，【００４４】〜【００４５】，【００８７】，【０１５６】〜【０１５７】，図１２（Ａ）には，演出を実行する音声の音量を，音量調節スイッチ５８，６０により調節するパチンコ機１において，音量段階を設定したにも関わらず，遊技者の利益に関係する内容の音声［「リーチ！」等］を既定の音量段階「大」で出力させるパチンコ機１が記載されている。），平成２７年１１月１８日付けの拒絶理由の通知で文献２とした刊行物５（特開２００３−２８４８１９号公報。【０００８】，【００１２】，【００１４】，【００１６】，図３，５，７（Ａ）には，音量調節スイッチＳＷ６により効果音の音量を調節できるパチンコ遊技機において，音量調節スイッチＳＷ６の操作に拘わらず，スピーカ１０から発生する演出上重要な効果音Ｓ４［リーチ効果音］，Ｓ５［大当り確定効果音］を最大再生音量に固定するパチンコ遊技機が記載されている。），上記刊行物４（【００４５】，【０２０４】，【０２０６】，図３０，３１には，第１〜４の音量系統は遊技者により調節できるが，第５の音量系統である大当たり中の演出を制御するエラーコマンド及び特別演出コマンド（開放中コマンド等）は最大音量の音量値「８」に固定したパチンコ機１０が記載されている。）に記載されているように周知（以下，「周知技術３」という。）である。
　引用発明１と周知技術３は共に，遊技者にとって重要な遊技球の獲得に関することを報知する発明又は技術であり，技術分野が共通している。
　引用発明１の音量調節ＳＷを遊技者による操作により調整可能とすることは，上記相違点１において検討したとおり，当業者が容易になし得たものである。また，引用発明１において，Ｖゾーン２４０への入球を煽るテロップ表示２１２を行うときに，「大入賞口が閉鎖する前にＶにいれろ」等の第１大入賞装置２４に向けて遊技球を発射する遊技音を出力する構成とすることは，上記相違点２において検討したとおり，当業者が容易になし得たものである。そして，Ｖゾーン２４０への入球を煽るテロップ表示２１２を行うときの，「大入賞口が閉鎖する前にＶにいれろ」等の第１大入賞装置２４に向けて遊技球を発射する遊技音を，上記周知技術３を適用して，遊技者が調整した音量に関わらず，所定レベル以上の音量を出力するようにして，上記相違点３に係る本件発明の構成とすることは，当業者が適宜なし得たことである。
　また，本件補正発明の作用効果も，引用発明１，周知技術１〜３から当業者が予測できる範囲のものである。
　したがって，本件補正発明は，引用発明１，周知技術１〜３に基づいて，当業者が容易に発明をすることができたものである。
（５）請求人の主張について
　請求人は審判請求書第７頁第４〜１４行において，
「本願発明は，遊技者に対して直截に第２可変入賞装置に向けて遊技球を発射するよう報知する特定演出音を出力するのであり，しかも，特定演出音を所定レベル以上で出力するよう音量レベルを変更することから，特定演出音を遊技者に確実に聴取させ，第２可変入賞装置に向けて遊技球を発射させることが可能となるのである。これに対して，引用発明１乃至４によると，Ｖゾーンへの入球を煽る演出が行われ，かかる演出の演出音が所定レベル以上で出力されるのであるが，Ｖゾーンを備える第１大入賞装置２４へ向けて遊技球を発射するよう報知する演出音が出力されるわけではない。そうすると，遊技者は，Ｖゾーンへの入球に関する演出が行われていることを認識することは可能かもしれないが，第１大入賞装置２４に向けて遊技球を発射することを確実に認識できるというわけではない。」と主張している。
　しかしながら，上記（３）（ｈ）において既に検討したように，引用発明１の第１大入賞装置２４に入球した遊技球がＶゾーン２４０へ入球可能な状態となるときの「大入賞口が閉鎖する前にＶにいれろ」等のテロップ表示２１２の「大入賞口」は，「第１大入賞装置２４」であり，遊技盤面には多くの釘があるので，特定の狭い位置を狙って遊技球を発射させることはできず，遊技者は，第１大入賞装置２４に多くの遊技球を入賞させることによりＶゾーン２４０に遊技球を入賞させようとするので，上記テロップ表示２１２は，第１大入賞装置２４に向けて遊技球を発射するように報知しているといえる。このことからから，遊技者は，第１大入賞装置２４に向けて遊技球を発射することを確実に認識できるといえる。また，上記（４）「ウ　相違点３について」において既に検討したように，「大入賞口が閉鎖する前にＶにいれろ」等の第１大入賞装置２４に向けて遊技球を発射する遊技音を，上記周知技術３を適用することにより，遊技者が調整した音量に関わらず，所定レベル以上の音量を出力するようにすると，第１大入賞装置２４に向けて遊技球を発射することを確実に認識できるようになるといえる。そして，上記（４）において既に検討したように，本件補正発明は，引用発明１，周知技術１〜３に基づいて，当業者が容易に発明をすることができたものであるから，請求人の主張を採用することはできない。 
（６）まとめ
　したがって，本件補正発明は，特許法第２９条第２項の規定に基づいて特許出願の際独立して特許を受けることができない。
　よって，本件補正は，特許法第１７条の２第６項において準用する同法第１２６条第７項の規定に違反するので，同法第１５９条第１項において読み替えて準用する同法第５３条第１項の規定により却下すべきものである。
第３　本願発明
　本件補正は，上記のとおり却下されることとなったので，本願の請求項１に係る発明は，平成２８年１０月１８日付け手続補正書により補正された特許請求の範囲の請求項１に記載された事項により特定されるとおりのものであるところ，その請求項１に係る発明（以下，「本願発明」という。）は，上記「第２［理由］１」に本件補正前の請求項１として記載したとおりのものである。
１　刊行物１
　原査定の拒絶理由に引用された本願の出願前に頒布された刊行物１の記載事項及び引用発明１の認定については，上記「第２［理由］３（２）（２−１）」に記載したとおりである。
２　対比・判断
　本願発明は，上記「第２［理由］１」で検討した本件補正発明から，実質的な変更とならない特定事項を除き，「演出制御手段」に関して，「前記演出制御手段は，前記特別遊技制御手段により前記第２可変入賞装置に入球する遊技球が前記所定通過領域を通過可能となるときに，前記第２可変入賞装置に向けて遊技球を発射するよう報知する特定演出音を前記スピーカーから出力させ」との限定を削除したものである。
　そうすると，本願発明と引用発明１の相違点は，上記「第２［理由］２（３）」の［相違点２］の構成を削除したものであるから，本願発明は，引用発明１，周知技術１，３に基づいて，当業者が容易に発明をすることができたものである。
３　むすび
　以上のとおり，本願発明は，特許法第２９条第２項の規定により特許を受けることができないものである。
　したがって，その余の請求項について検討するまでもなく，本願は拒絶すべきものである。
　よって，結論のとおり審決する。